(57)【要約】  ファスナーテープのコイル状ファスナーエレメントが取り付けられた面を表面とする表使い用に形成されたストッパー機構を、ファスナーテープのコイル状ファスナーエレメントが取り付けられた面を裏面とする裏使いに適用できるようにしたスライドファスナー用スライダーを提供する。スライダー（２０、５０）のスライダー胴体（２１、５１）の下翼板（３０、６０）は、その内側面（３１、６１）に、案内柱（２３、５３）から後口（２７、５７）へと前後方向に延びる隆起部（３２、３２ａ、６２）を有する。隆起部（３２、３２ａ、６２）は、案内柱（２３、５３）側の、隆起部（３２、３２ａ、６２）において最も高い水平な第１上面（３３、３３ａ、６３）と、第１上面（３３、３３ａ、６３）よりも低い後口（２７、５７）側の第２上面（３４、３４ａ、６４）とを有する。スライダー（２０、５０）のストッパー機構（４０、７０）の停止爪（４２、７２）は、エレメント案内路（２８、５８）に突出した状態で第１上面（３３、３３ａ、６３）上のコイル状ファスナーエレメント（１１ａ、１１ｂ）と係合する。前記第１上面（３３、３３ａ、６３）には、左方又は右方のコイル状ファスナーエレメント（１１ａ、１１ｂ）の前後方向に隣り合う少なくとも二つの単位エレメント（１１ｃ）が載り得る。
2012033024.tif 000002
【特許請求の範囲】
【請求項１】
左右のファスナーテープ（１０ａ、１０ｂ）と、
左右のファスナーテープ（１０ａ、１０ｂ）の裏面における対向縁側端部にそれぞれ取り付けられた左右のコイル状ファスナーエレメント（１１ａ、１１ｂ）と、
左右のコイル状ファスナーエレメント（１１ａ、１１ｂ）を噛合又は分離させるスライダー（２０）とを備えるスライドファスナーであって、
スライダー（２０）は、爪孔（４３、５２ｃ）を有する上翼板（２２、５２）と、下翼板（３０、６０）と、これら上下翼板（２２、５２、３０、６０）間を連結する案内柱（２３、５３）とを含むスライダー胴体（２１、５１）と、スライダー胴体（２１、５１）の移動を阻止するためのストッパー機構（４０、７０）とを含み、
スライダー胴体（２１、５１）は、上下翼板（２２、５２、３０、６０）間において、案内柱（２３、５３）の左右に開口する、分離状態の左右のコイル状ファスナーエレメント（１１ａ、１１ｂ）をそれぞれ通す二つの前口(２６、５６)と、前後方向における案内柱（２３、５３）とは反対側に開口する、噛合状態の左右のコイル状ファスナーエレメント（１１ａ、１１ｂ）を通す一つの後口(２７、５７)と、前口(２６、５６)と後口（２７、５７）との間に形成されるＹ字状のエレメント案内路（２８、５８）とを含み、
ストッパー機構（４０、７０）は、上翼板（２２、５２）の爪孔（４３、５２ｃ）からエレメント案内路（２８、５８）へと突出可能な停止爪（４２、７２）を含み、
前記下翼板（３０、６０）は、その内側面（３１、６１）に、前記案内柱（２３、５３）から後口（２７、５７）へと前後方向に延びる隆起部（３２、３２ａ、６２）を有し、
隆起部（３２、３２ａ、６２）は、案内柱（２３、５３）側の、隆起部（３２、３２ａ、６２）において最も高い水平な第１上面（３３、３３ａ、６３）と、第１上面（３３、３３ａ、６３）よりも低い後口(２７、５７)側の第２上面（３４、３４ａ、６４）とを有し、
前記停止爪（４２、７２）はエレメント案内路（２８、５８）に突出した状態で第１上面（３３、３３ａ、６３）上のコイル状ファスナーエレメント（１１ａ、１１ｂ）と係合するスライドファスナー。
【請求項２】
前記第１上面（３３、３３ａ、６３）には、左方又は右方のコイル状ファスナーエレメント（１１ａ、１１ｂ）の前後方向に隣り合う少なくとも二つの単位エレメント（１１ｃ）が載る請求項１のスライドファスナー。
【請求項３】
前記第１上面（３３、３３ａ、６３）は、左右端辺間の間隔が一定の後口（２７、５７）側の同幅部（３３ｂ）と、同幅部（３３ｂ）の案内柱（２３、５３）側端から左右端辺（３３ｅ、３３ｅ）間の間隔が案内柱（２３、５３）側へと次第に拡大する拡幅部（３３ｃ）とを含み、第１上面（３３、３３ａ、６３）は、少なくとも、拡幅部（３３ｃ）の左右端辺（３３ｅ、３３ｅ）の延長線が交差する交点（Ｐ）まで後口（２７、５７）側に延びる請求項１又は２のスライドファスナー。
【請求項４】
前記第２上面（３４、６４）は水平であり、第１上面（３３、６３）と第２上面（３４、６４）とが傾斜面（３５、６５）によって連結される請求項１〜３のいずれか１項のスライドファスナー。
【請求項５】
爪孔（４３、５２ｃ）を有する上翼板（２２、５２）と、下翼板（３０、６０）と、これら上下翼板（２２、５２、３０、６０）間を連結する案内柱（２３、５３）とを含むスライダー胴体（２１、５１）と、
スライダー胴体（２１、５１）の移動を阻止するためのストッパー機構（４０、７０）とを含み、
スライダー胴体（２１、５１）は、上下翼板（２２、５２、３０、６０）間において、案内柱（２３、５３）の左右に開口する前口（２６、５６）と、前後方向における案内柱（２３、５３）とは反対側に開口する後口（２７、５７）と、前口（２６、５６）と後口（２７、５７）との間に形成されるＹ字状のエレメント案内路（２８、５８）とを含み、
ストッパー機構（４０、７０）は、上翼板（２２、５２）の爪孔（４３、５２ｃ）からエレメント案内路（２８、５８）へと突出可能な停止爪（４２、７２）を含み、
前記下翼板（３０、６０）は、その内側面（３１、６１）に、前記案内柱（２３、５３）から後口（２７、５７）へと前後方向に延びる隆起部（３２、３２ａ、６２）を有し、
隆起部（３２、３２ａ、６２）は、案内柱（２３、５３）側の、隆起部（３２、３２ａ、６２）において最も高い水平な第１上面（３３、３３ａ、６３）と、第１上面（３３、３３ａ、６３）よりも低い後口（２７、５７）側の第２上面（３４、３４ａ、６４）とを有し、
前記停止爪（４２、７２）はエレメント案内路（２８、５８）に突出した状態で第１上面（３３、３３ａ、６３）に対向するスライドファスナー用スライダー。
【請求項６】
前記第１上面（３３、３３ａ、６３）は、左右端辺間の間隔が一定の後口（２７、５７）側の同幅部（３３ｂ）と、同幅部（３３ｂ）の案内柱（２３、５３）側端から左右端辺（３３ｅ、３３ｅ）間の間隔が案内柱（２３、５３）側へと次第に拡大する拡幅部（３３ｃ）とを含み、第１上面（３３、３３ａ、６３）は、少なくとも、拡幅部（３３ｃ）の左右端辺（３３ｅ、３３ｅ）の延長線が交差する交点（Ｐ）まで後口（２７、５７）側に延びる請求項５のスライドファスナー用スライダー。
【請求項７】
前記第２上面（３４、６４）は水平であり、第１上面（３３、６３）と第２上面（３４、６４）とが傾斜面（３５、６５）によって連結される請求項５又は６のスライドファスナー用スライダー。
【発明の詳細な説明】
【技術分野】
【０００１】
本発明はスライドファスナー及びスライドファスナー用スライダーに関し、更に詳しくは、コイル状ファスナーエレメントが取り付けられた面を裏面とするいわゆる「裏使い」のファスナーテープにストッパー機能付きのスライダーを適用したスライドファスナーと、このようなスライドファスナーで使用するスライダーに関する。
【背景技術】
【０００２】
スライドファスナーの一タイプとして、使用者が引手を介して移動させることにより、左右のファスナーテープ間を開閉するスライダーにストッパー機構を組み込んだものが知られており、その一例が特開昭６３−１４５６０５号公報等に開示される。かかるストッパー機構は、引手をスライダーの上翼板に回動可能に連結するカム軸と、使用者が引手を持たない時は初期位置にあり、使用者が引手を持ち上げるとカム軸の作用により初期位置から変位する板ばね部と、板ばね部の一端部に形成され、板ばね部の初期位置において上翼板の爪孔からスライダー内部のエレメント案内路に対し突出させる停止爪とを含む。突出状態の停止爪は、エレメント案内路において噛合直前又は分離直後のエレメントに当接し、これが抵抗となってスライダーの移動を阻止することができる。他方、使用者が引手を持つと、板ばね部が変位し、突出状態の停止爪をエレメント案内路から引っ込め、これにより、スライダーが移動可能となる。【０００３】
また、コイル状ファスナーエレメント（エレメント）が一面に取り付けられたファスナーテープは、通常、該一面をファスナーテープの表面として使用される（表使い）が、ファッション性その他の理由により、エレメント側をファスナーテープの裏面にする場合がある（裏使い）。表使いの場合は、スライダーの上翼板とファスナーテープとの間にエレメントが存在するのに対し、裏使いの場合は、上翼板とエレメントとの間にファスナーテープが配置される。そのため、表使い用に形成された上記ストッパー機構を裏使いに適用すると、停止爪とエレメントの係合が不十分となってストッパー機能が有効に働かなくなる。また、表使い用のストッパー機構とは別に裏使い用のストッパー機構を製造するとなると、コストが嵩み、部品管理等も煩雑となる。
【先行技術文献】
【特許文献】
【０００４】
【特許文献１】特開昭６３−１４５６０５号公報
【発明の概要】
【発明が解決しようとする課題】
【０００５】
本発明は、上記のような問題点に鑑みてなされたもので、その目的は、ファスナーテープのコイル状ファスナーエレメントが取り付けられた面を表面とする表使い用に形成されたストッパー機構を、ファスナーテープのコイル状ファスナーエレメントが取り付けられた面を裏面とする裏使いに適用できるようにしたスライドファスナー及びスライドファスナー用スライダーを提供することにある。
【課題を解決するための手段】
【０００６】
上記課題を解決するため、本発明によれば、左右のファスナーテープと、左右のファスナーテープの裏面における対向縁側端部にそれぞれ取り付けられた左右のコイル状ファスナーエレメントと、左右のコイル状ファスナーエレメントを噛合又は分離させるスライダーとを備えるスライドファスナーであって、スライダーは、爪孔を有する上翼板と、下翼板と、これら上下翼板間を連結する案内柱とを含むスライダー胴体と、スライダー胴体の移動を阻止するためのストッパー機構とを含み、スライダー胴体は、上下翼板間において、案内柱の左右に開口する、分離状態の左右のコイル状ファスナーエレメントをそれぞれ通す二つの前口と、前後方向における案内柱とは反対側に開口する、噛合状態の左右のコイル状ファスナーエレメントを通す一つの後口と、前口と後口との間に形成されるＹ字状のエレメント案内路とを含み、ストッパー機構は、上翼板の爪孔からエレメント案内路へと突出可能な停止爪を含み、前記下翼板は、その内側面に、前記案内柱から後口へと前後方向に延びる隆起部を有し、隆起部は、案内柱側の、隆起部において最も高い水平な第１上面と、第１上面よりも低い後口側の第２上面とを有し、前記停止爪はエレメント案内路に突出した状態で第１上面上のコイル状ファスナーエレメントと係合するスライドファスナーが提供される。【０００７】
本発明では、コイル状ファスナーエレメントが取り付けられた面を裏面とするファスナーテープと、ストッパー機構付きのスライダーとを備えるスライドファスナーにおいて、スライダーのスライダー胴体の下翼板の内側面に隆起部を設ける。隆起部は、案内柱側に、隆起部において最も高い水平（下翼板の内側面に平行）な第１上面を有し、ストッパー機構の停止爪は、爪孔からエレメント案内路に突出した状態で、第１上面上に載って上方に持ち上げられたコイル状ファスナーエレメントと係合する。第１上面上のコイル状ファスナーエレメントの前後方向に隣合う単位エレメントは、同じ高さ位置で姿勢が安定した状態で停止爪と係合する。第１上面よりも低い、後口側の第２上面は、エレメント案内路の後口側でのコイル状ファスナーエレメントの姿勢を規制することができ、左右のコイル状ファスナーエレメントの噛合頭部の噛合状態を確実に維持する。第２上面は水平であっても、傾斜していてもよい。第２上面が水平な場合は、第１上面と第２上面とは傾斜面を介して連結され得る。第２上面が傾斜する場合、第２上面は、第１上面の噛合口側端から隆起部の噛合口側端まで延び得る。【０００８】
本発明の一実施形態において、前記第１上面には、左方又は右方のコイル状ファスナーエレメントの前後方向に隣り合う少なくとも二つの単位エレメントが載る。第１上面上に載って姿勢が整えられた二つの単位エレメント間に停止爪が入り込むことにより、停止爪が安易に外れるようなことがなく、ストッパー機能が有効に働く。【０００９】
本発明の一実施形態において、前記第１上面は、左右端辺間の間隔が一定の後口側の同幅部と、同幅部の案内柱側端から左右端辺間の間隔が案内柱側へと次第に拡大する拡幅部とを含み、第１上面は、少なくとも、拡幅部の左右端辺の延長線が交差する交点まで噛合口側に延びる。これにより、第１上面は、左方又は右方のコイル状ファスナーエレメントの前後方向に隣り合う少なくとも二つの単位エレメントが載る程度に噛合口側に延びる。【００１０】
本発明の一実施形態において、前記第２上面は水平であり、第１上面と第２上面とが傾斜面によって連結される。この場合、第２上面が、エレメント案内路の後口側でのコイル状ファスナーエレメントの姿勢を規制することができ、左右のコイル状ファスナーエレメントの噛合頭部の噛合状態を確実に維持する。更に、第１上面と第２上面とが傾斜面を介して連結されるため、左右のコイル状ファスナーエレメントは、エレメント案内路において噛合又は分離する際、隆起部上の第１上面と第２上面間を円滑に移動することができる。【００１１】
別の本発明によれば、爪孔を有する上翼板と、下翼板と、これら上下翼板間を連結する案内柱とを含むスライダー胴体と、スライダー胴体の移動を阻止するためのストッパー機構とを含み、スライダー胴体は、上下翼板間において、案内柱の左右に開口する前口と、前後方向における案内柱とは反対側に開口する後口と、前口と後口との間に形成されるＹ字状のエレメント案内路とを含み、ストッパー機構は、上翼板の爪孔からエレメント案内路へと突出可能な停止爪を含み、前記下翼板は、その内側面に、前記案内柱から噛合口へと前後方向に延びる隆起部を有し、隆起部は、案内柱側の、隆起部において最も高い水平な第１上面と、第１上面よりも低い噛合口側の第２上面とを有し、前記停止孔はエレメント案内路に突出した状態で第１上面に対向するスライドファスナー用スライダーが提供される。【００１２】
本発明では、スライドファスナーに使用するスライダーにおいて、スライダー胴体の下翼板の内側面に隆起部を設ける。隆起部は、案内柱側に、隆起部において最も高い水平（下翼板の内側面に平行）な第１上面を有し、ストッパー機構の停止爪は、爪孔からエレメント案内路に突出した状態で、第１上面に対向する。第１上面上のコイル状ファスナーエレメントの前後方向に隣合う単位エレメントは、同じ高さ位置で姿勢が安定した状態で停止爪と係合する。第１上面よりも低い、後口側の第２上面は、エレメント案内路の後口側でのコイル状ファスナーエレメントの姿勢を規制することができ、左右のコイル状ファスナーエレメントの噛合頭部の噛合状態を確実に維持する。第２上面は水平であっても、傾斜していてもよい。第２上面が水平な場合は、第１上面と第２上面とは傾斜面を介して連結され得る。第２上面が傾斜する場合、第２上面は、第１上面の後口側端から隆起部の後口側端まで延び得る。【００１３】
本発明の一実施形態において、前記第１上面は、左右端辺間の間隔が一定の後口側の同幅部と、同幅部の案内柱側端から左右端辺間の間隔が案内柱側へと次第に拡大する拡幅部とを含み、第１上面は、少なくとも、拡幅部の左右端辺の延長線が交差する交点まで後口側に延びる。これにより、第１上面は、左方又は右方のコイル状ファスナーエレメントの前後方向に隣り合う少なくとも二つの単位エレメントが載る程度に後口側に延びる。【００１４】
本発明の一実施形態において、前記第２上面は水平であり、第１上面と第２上面とが傾斜面によって連結される。この場合、第２上面が、エレメント案内路の後口側でのコイル状ファスナーエレメントの姿勢を規制することができ、左右のコイル状ファスナーエレメントの噛合頭部の噛合状態を確実に維持する。更に、第１上面と第２上面とが傾斜面を介して連結されるため、左右のコイル状ファスナーエレメントは、エレメント案内路において噛合又は分離する際、隆起部上の第１上面と第２上面間を円滑に移動することができる。
【発明の効果】
【００１５】
本発明に係るスライドファスナー及びスライドファスナー用スライダーでは、スライダーの下翼板の内側面に設けた隆起部の案内柱側の水平な第１上面により、エレメント案内路内のコイル状ファスナーエレメントを安定的に持ち上げ、突出状態の停止爪と確実に係合させることができる。そのため、ファスナーテープのコイル状ファスナーエレメントが取り付けられた面を表面とする表使い用に形成されたストッパー機構を、ファスナーテープのコイル状ファスナーエレメントが取り付けられた面を裏面とする裏使いに適用することが可能となる。
【図面の簡単な説明】
【００１６】
【図１】図１は、本発明の一実施形態に係るスライドファスナーを破断して概略的に示す部分側面説明図である。
【図２】図２は、図１のＡ−Ａ線から見たスライダーの下翼板の一部断面平面説明図であり、コイル状ファスナーエレメントが破線で表される。
【図３】図３は、図２のＢ−Ｂ線から見たスライドファスナーの縦断面説明図である。
【図４】図４は、スライダーの下翼板の斜視図である。
【図５】図５は、スライダーの下翼板を上面（内側面）側から見た一部断面説明図である。
【図６】図６は、スライダーの上翼板を下面側から見た一部断面説明図である。
【図７】図７は、下翼板の隆起部と、上翼板の隆起部と、突出状態の停止爪とを側方から見た一部断面説明図である。
【図８】図８は、突出状態の停止爪とコイル状ファスナーエレメントの係合状態を概略的に示す縦断面説明図である。
【図９】図９は、下翼板の隆起部の変形例を示す図７と同様の一部断面説明図である。
【図１０】図１０は、第２実施形態に係るスライダーの側面図である。
【図１１】図１１は、引手が取り付けられる前の状態の図１０のスライダーの断面説明図である。
【図１２】図１２は、引手を取り付ける過程を示すスライダーの断面説明図である。
【図１３】図１３は、引手を取り付ける過程を示すスライダーの断面説明図である。
【図１４】図１４は、引手を取り付ける過程を示すスライダーの断面説明図である。
【図１５】図１５は、引手の取り付けが完了した状態をスライダーの断面説明図である。
【発明を実施するための形態】
【００１７】
以下、本発明の好適な実施形態を図面を参照して説明する。図１は、本発明の一実施形態に係るスライドファスナー１を略示する部分側面説明図である。図２は、図１のＡ−Ａ線から見た後述する下翼板３０の一部断面平面説明図であり、左右のコイル状ファスナーエレメント１１（１１ａ、１１ｂ）が破線で表される。図３は、図２のＢ−Ｂ線から見たスライドファスナー１の縦断面説明図である。スライドファスナー１は、左右（以下、左右及び上下は図３に基づき、図３の紙面に対して左右、上下である）一対のファスナーテープ１０（１０ａ、１０ｂ）と、各ファスナーテープ１０の裏面（図１及び３において下面）の対向縁（開閉縁）側端部にそれぞれ縫い付けられた左右一対のコイル状ファスナーエレメント（以下単に「エレメント」ともいう）１１（１１ａ、１１ｂ）と、使用者が引手（図１０等の参照番号８０参照）を引くことにより、左右のファスナーテープエレメント１１に沿って一方向又は他方向（以下「前後方向」という）に移動可能な、本発明の第１実施形態に係るスライドファスナー用スライダー（以下単に「スライダー」という）２０とを備える。例えば、一方向（前方向）にスライダーを移動すると、分離状態の左右のファスナーエレメント１１を噛合させ、他方向（後方向）にスライダーを移動すると、噛合状態の左右のファスナーエレメントを分離させる。ファスナーエレメント１１はモノフィラメント状の線材をコイル状に巻き、その一部に対向するファスナーエレメント１１と噛合する噛合頭部１２ａ、１２ｂを有するコイル状ファスナーエレメントである。なお、スライドファスナー１では、ファスナーテープ１０のエレメント１１が取り付けられた側の面を裏面に使用するいわゆる「裏使い」を採っている。左右のエレメント１１ａ、１１ｂは、スライダー２０が前後方向に移動することにより、エレメント１１ａ、１１ｂの噛合頭部１２ａ、１２ｂが噛合又は分離し、これにより、左右のファスナーテープ１０ａ、１０ｂ間が閉じ又は開く。左方及び右方それぞれのエレメント１１ａ、１１ｂにおいて前後方向に隣り合うコイル一巻き分部分を「単位エレメント」（図８の参照番号１１ｃ参照）という。スライダー２０は、上翼板２２、下翼板３０、及びこれら上下翼板間２２、３０を連結する案内柱２３を含むスライダー胴体（以下、単に「胴体」ともいう）２１と、胴体２１の上翼板２２の上部に形成されたカバー部材２４に引手軸部４４を介して回動可能に連結される図示を省略した上記引手と、胴体２１の上翼板２２に組み付けられた、使用者が引手を持たない時にスライダー２０の移動を阻止することができるストッパー機構４０とを有する。なお、引手がストッパー機構４０の一構成要素であってもよい。胴体２１は、上翼板２２と下翼板３０との間において、案内柱２３の左右に開口する、分離状態のエレメント１１ａ、１１ｂを通す二つの前口２６と、前後方向における案内柱２３とは反対側に開口する、噛合状態のエレメント１１ａ、１１ｂを通す一つの後口２７と、前口２６と後口２７との間に形成されるＹ字状のエレメント案内路２８とを含む。なお、参照番号２９、３６は、エレメント案内路２８の左右両側部を成す上下翼板２２、３０のフランジであり、エレメント１１ａ、１１ｂがエレメント案内路２８を通る際、エレメント１１ａ、１１ｂの取付箇所を除くファスナーテープ１０ａ、１０ｂは上下のフランジ２９、３６間の隙間に通される。上フランジ２９は、上翼板２２の左右両側縁から下方へ向けて突出している。下フランジ３６は、下翼板３０の左右両側縁から上方へ向けて、上フランジ２９よりも長く突出している。また、下フランジ３６は、エレメント１１ａ、１１ｂの噛合頭部１２ａ、１２ｂとは反対側端部であり、単位エレメント１１ｃ（図８参照）同士を連結するＵ字状の反転部１３ａ、１３ｂ（図３参照）をガイドする役割を果たす。
【００１８】
ストッパー機構４０は、従来からあるスライドファスナー用スライダーに使用されるストッパー機構を使用することができ、特開昭６３−１４５６０５号等に開示されるものと同様のものであってもよく、例えば、一端部に形成した停止爪４２を含むストッパー部材４１と、そのストッパー部材４１の停止爪４２をエレメント案内路２８内に突出するように付勢する板バネ４５とを、カバー部材２４内部に収容し、ストッパー部材４１と上翼板２２の上面との間に引手の引手軸部４４が配置されて、引手が胴体２１に取り付けられている。停止爪４２は、使用者が引手を持たない時は、上翼板２２に設けた爪孔４３（図６参照）から下方のエレメント案内路２８へと、板バネ４５の弾性的付勢により突出し、エレメント案内路２８において噛合直前又は分離直後のエレメント１１に当接し（図２参照）、これが抵抗となってスライダー２０の移動を阻止することができる。他方、使用者が引手を持って操作すると、引手が上翼板２２に対し立ち上がり、引手の引手軸部４４が、板バネ４５の弾性的付勢に抗してストッパー部材４１を変位させ、これが突出状態の停止爪４２を上方に引っ込め、スライダー２０が移動可能となる。この状態から使用者が引手を離すと、停止爪４２は突出状態に復帰する。爪孔４３は、図２の紙面に対して見て、上翼板２２の左右方向中央より若干右側に設けられる（上翼板２２を下から見る図６において、爪孔４３は中央より若干左側に来る）。そのため、突出状態の停止爪４２は、図２に示すように噛合直前又は分離直後の右側のエレメント１１ｂの噛合頭部１２ｂと係合する。ストッパー機構４０は、ファスナーテープのコイル状ファスナーエレメントが取り付けられた側の面を通常通り表面に使用するいわゆる「表使い」用に形成されたものである。そのため、上述したように裏使いとされるスライドファスナー１では、ファスナーエレメント１１と上翼板２２の下面との間にファスナーテープ１０が存在し、表使いに比べコイル状ファスナーエレメントの位置が下方にずれるため、突出状態の停止爪４２がエレメントにしっかりと係合せず、ストッパー機能が十分に働かない。この点を是正するため、スライドファスナー１におけるスライダー２０の下翼板３０は以下に述べるように構成される。上記のように「裏使い」用のスライドファスナーは、ファスナーエレメント１１がファスナーテープ１０の裏側に設けられているため、ファスナーエレメント１１は、図３のように、下翼板３０側に位置し、ファスナーエレメント１１は下翼板３０の上面および、後述する隆起部３２の上面と接触する。特に、隆起部３２は、エレメント案内路２８内でのファスナーエレメント１１の姿勢を規制するために、ファスナーエレメント１１とより接触しやすくなるように、下翼板３０の上面３１よりも突出して形成される。
【００１９】
図４は下翼板３０の斜視図であり、図５は、案内柱２３及びフランジ３６を水平断面で表した下翼板３０の上面（内側面）３１を示す。下翼板３０は、上面３１において、案内柱２３の左右両側面下端部から後口２７付近まで左右方向中央にて前後方向に延びる隆起部３２を有する。下翼板３０の上面３１は上下方向に直交し、上翼板２２の下面と平行である。以下、上面３１と平行な面を「水平（面）」という。隆起部３２は、図７等にも示すように、案内柱２３側の平坦で水平な第１上面３３と、下翼板３０の内側面３１からの高さが第１上面３３よりも若干低い、後口２７側の平坦で水平な第２上面３４と、第１上面３３と第２上面３４とを連結する傾斜面３５とを含む。傾斜面３５は、第１上面３３から第２上面３４に向かって下り傾斜（案内柱２３側から後口２７に向かって、下翼板３０の上面３１からの高さが漸次低くなる傾斜）している。隆起部３２の前記内側面３１からの高さ（突出する寸法）は、後口２７側より案内柱２３側で高い。第１上面３３は、案内柱２３側で、案内柱２３の下端部の左右両側面に沿って二股に分かれ、案内柱２３の後口２７とは反対側の前後方向端付近まで延びている。第１上面３３の左右方向の幅は、後口２７側より案内柱２３側で大きい。第１上面３３ａは、傾斜面３５に隣接する、左右端辺が互いに平行で左右端辺間の間隔が一定となる後口２７側の同幅部３３ｂと、同幅部３３ｂの案内柱２３側（前方）端から左右端辺３３ｅ、３３ｅ間の間隔（図４にのみ示す窪み３３ｄを含む全幅）が漸次拡大する拡幅部３３ｃとを含む。第１上面３３は、拡幅部３３ｃの案内柱２３側端から案内柱２３の左右両側面下端部へと更に延びる。図５を参照して、拡幅部３３ｃの左右端辺３３ｅ、３３ｅは同幅部３３ｂの左右端辺に対し傾斜し、これら端辺３３ｅ、３３ｅそれぞれの延長線が隆起部３２の上面において交差する点を点Ｐとすると、同幅部３３ｂすなわち第１上面３３は、案内柱２３側から後口２７側へと少なくとも点Ｐまで延びるように形成される。すなわち、第２上面３４及び傾斜面３５は、点Ｐよりも後口２７側に配置されている。また、傾斜面３５は、点Ｐの位置から直に後口２７側に配置されてもよい。隆起部３２の後口２７側端部は、第２上面３４の後口２７側端から上面３１へとなだらかに傾斜している。図２も参照して、第１上面３３は、エレメント案内路２８における、左右のエレメント１１ａ、１１ｂの噛合頭部１２ａ、１２ｂが噛合する直前又は分離する直後となる領域（噛合直前／分離直後領域）にあり、この領域は、上述したようにストッパー機構４０の停止爪４２が出没する爪孔４３を含む。爪孔４３は、第１上面３３における同幅部３３ｂと拡幅部３３ｃのほぼ境界に対向する位置ある。よって、停止爪４２は、爪孔４３からエレメント案内路２８へ突出した時、第１上面３３における同幅部３３ｂと拡幅部３３ｃのほぼ境界に対向するように配置される。第２上面３４は、エレメント案内路２８における、左右のエレメント１１ａ、１１ｂが噛合した後又は分離する前の領域（噛合後／分離前領域）にある。傾斜面３５は、エレメント案内路２８における上記噛合直前／分離直後領域と噛合後／分離前領域との間の領域にあり、この領域で左右のエレメント１１ａ、１１ｂの噛合頭部１２ａ、１２ｂが噛合又は分離を開始する。
【００２０】
図６は、案内柱２３及びフランジ２９を水平断面で表した上翼板２２の下面を示す。上翼板２２は、下面において、案内柱２３の左側（図６において右側）面下端部から後口２７側へと左右方向中央付近にて前後方向に延びる隆起部２５を有する。隆起部２５は、左右方向中央線から左側（図６において右側）のみにあり、左右方向中央線から右側（図６において左側）には既述したように爪孔４３が設けられる。隆起部２５は、案内柱２３から後口２７側へと爪孔４３の後口２７側端まで左右方向の幅が次第に縮小した後、幅一定にて更に若干延びるが、下翼板３０の隆起部３２よりも後口２７から離れて終端する。また、下翼板３０の隆起部３２の左右方向の幅は、上翼板２２の隆起部２５の幅よりも大きい。図７は、下翼板３０の隆起部３２、上翼板２２の隆起部２５、及び停止爪４２を側方から見た説明図である。上翼板２２の隆起部２５の下面２５ａは平坦な水平面であり、後口２７側へと下翼板３０の隆起部３２の傾斜面３５と第２上面３４との境界付近まで延びている。
【００２１】
以上のように構成されたスライドファスナー１では、使用者が引手を持たない時、すなわち、左右のファスナーテープ１０ａ、１０ｂ間を開閉操作しない時、ストッパー機構４０の停止爪４２が爪孔４３からエレメント案内路２８内へと弾性的付勢により突出して突出状態となる。この際、下翼板３０の隆起部３２の第１上面３３がエレメント案内路２８内の噛合直前／分離直後領域に存在する右側のコイル状ファスナーエレメント１１ｂを若干持ち上げている。これにより、図８に示すように、エレメント１１ｂが停止爪４２へ接近するので、エレメント１１ｂが突出状態の停止爪４２と確実に係合する。これにより、所期のストッパー機能が働き、スライダー２０の移動が阻止される。更に図８を参照して、上述したように、水平な第１上面３３は、後口２７側へと少なくとも点Ｐ（図５参照）まで延びるように形成されるため、エレメント１１ｂの前後方向で隣り合う少なくとも二つの単位エレメント１１ｃが第１上面３３の同幅部３３ｂと拡幅部３３ｃ上に載って同じ高さ位置となる。このように第１上面３３上において同じ高さ位置で姿勢が整えられた隣合う二つの単位エレメント１１ｃ間に停止爪４２が入り込むことにより、噛合頭部１２ｂ間から停止爪４２が安易に外れるようなことがなく、ストッパー機能が有効に働く。使用者が引手を持って左右のファスナーテープ１０ａ、１０ｂ間を開閉操作する場合、引手軸部４４によりストッパー部材４１の変位を介して停止爪４２がエレメント案合路２８から上翼板２２の下面よりも上方に引っ込む。これにより、スライダー２０が移動可能となる。この開閉操作時において、下翼板３０の隆起部３２は、エレメント１１が通されるエレメント案内路２８の上下間隔を若干狭め、左右のエレメント１１ａ、１１ｂの噛合頭部１２ａ、１２ｂの上下方向へのぶれを減らす。また、第１上面３３の左右方向の幅が後口２７側より案内柱２３側で大きいため、分離状態の左右のエレメント１１ａ、１１ｂを噛合させる際、エレメント１１ａ、１１ｂを円滑に第１上面３３上に持ち上げて、停止爪４２とエレメント１１とをより確実に係合させ得る。更に、隆起部３２の第２上面３４は、エレメント案内路２８の噛合後／分離前領域の上下間隔を若干狭めることにより、左右のエレメント１１ａ、１１ｂの噛合頭部１２ａ、１２ｂの姿勢を規制し、噛合頭部１２ａ、１２ｂをより確実に噛合させることができる。また、噛合頭部１２ａ、１２ｂの噛合状態を確実に維持する役割も果たす。エレメント１１ａ、１１ｂは、噛合／分離時に隆起部３２上の第１上面３３と第２上面３４間を傾斜面３５を通って円滑に移動する。
【００２２】
以上のように、スライドファスナー１では、裏使いに使用されるスライダーにおいて、停止爪４２とコイル状ファスナーエレメント１１との係合が的確に行われることで、ストッパー機構を発揮させることができ、かつ、表使い用のストッパー機構４０を、裏使いのコイル状ファスナーエレメント１１付きのファスナーテープ１０を備えるスライドファスナー１に適用することができる。また、以上の実施形態では、隆起部３２の第１上面３３と第２上面３４とが傾斜面３５によって連結される例を挙げたが、本発明はこれに限定されるものではなく、図９に隆起部の変形例を示す。この隆起部３２ａは、案内柱２３（隆起部以外、図７等と同じ参照番号を付す）側の平坦で水平な第１上面３３ａと、第１上面３３ａの後口２７側端から後口２７に向かって高さが漸次低くなるように傾斜する第２上面３４ａとを含む。この場合、傾斜する第２上面３４ａが第１上面３３ａに直接連結し、また、第１上面３３ａの前後方向の長さは図７等に示した隆起部３２の第１上面３３よりも短い。しかしながら、図示はしないが、図９の第１上面３３ａも後口２７側へと図５の点Ｐの位置までは延びており、換言すれば、第１上面３３ａと第２上面３４ａの境界は、点Ｐの位置にあるか又は点Ｐの位置よりも後口２７側にある。第１上面３３ａには、エレメント１１ｂの前後方向で隣り合う少なくとも二つの単位エレメント１１ｃが載る。
【００２３】
また、上記説明において、ファスナーテープ１０は、その表面（ファスナーエレメント１１を備える面と反対面）に、熱可塑性エラストマーからなるフィルム状のものを接着剤で貼り付ける、または溶融した樹脂を薄く塗布することで、樹脂層を形成したファスナーテープとし、そのファスナーテープを有するスライドファスナー用のスライダーとして使用することもできる。
【００２４】
次に、本発明の第２実施形態に係るスライダー５０を説明する。図１０はスライダー５０の側面図であり、図１１は、引手８０が取り付けられる前の状態のスライダー５０の断面説明図である。スライダー５０は、後述する下翼板６０の上面６１に設けた隆起部６２を除き、特開２００８−２２８８０８号公報に開示されているスライドファスナー用スライダーとほぼ同様に構成される。また、スライダー５０は、上述したストッパー機構４０を含むスライダー１０の代わりに、エレメント１１が裏面に来るファスナーテープ１０に適用して、裏使い用のスライドファスナーを構成することができる。スライダー５０は、上翼板５２、下翼板６０、及びこれら上下翼板間５２、６０を連結する案内柱５３を含むスライダー胴体５１と、スライダー胴体５１の上翼板５２上に組み付けられた、使用者が引手８０を持たない時にスライダー２０の移動を阻止することができるストッパー機構７０とを備える。スライダー胴体５１は、ストッパー機構７０が組み付けられる部分を除き、第１実施形態のスライダー２０のスライダー胴体２１とほぼ同じ構成であり、上翼板５２と下翼板６０との間に、案内柱５３の左右に開口する二つの前口５６と、前後方向における案内柱５３とは反対側に開口する後口５７と、前口５６と後口５７との間に形成されるＹ字状のエレメント案内路５８とを含む。
【００２５】
ストッパー機構７０は、上翼板５２の上面の後方側（図１０等において左方であり、図１０等における右方が前方である）に前後にスライド移動可能に取り付けられた開閉部材７１と、開閉部材７１を常に後方に付勢するコイルばね（図示せず）と、上翼板５２の上面の前方側に配置される、停止爪７２を含む板状の停止爪体７３と、開閉部材７１の上方や停止爪板７３の周りを覆う略フード状の引手保持体７４と、引手保持体７４の内側上方にほぼ水平に取り付けられ、停止爪体７３を常に下方に付勢する板ばね７５と、取り付け取り外し可能な引手８０とを備える。
【００２６】
開閉部材７１は、コイルばねにより後方に付勢されて通常は図１０及び１１に示す初期位置にあり、この初期位置よりも後方へは移動不能である。開閉部材７１は、左右に延びる後端部７１Ａと、後端部７１Ａの左右両端部から前方に延びる左右側板７１Ｂとから成る。左右側板７１Ｂは、上方に隆起する前方の第１山部７１ａ及び後方の第２山部７１ｂと、これら第１及第２山部７１ａ、７１ｂ間において下方に窪む谷部７１ｃとを有する。停止爪板７３は、上翼板５２の上面の前方側にいて上方に隆起し、頂部が円弧状断面の支持部５２ａに支持される基端部７３ａと、基端部７３ａから後方に二股に延びる上方アーム部７３ｂ及び下方アーム部７３ｃとを有し、下方アーム部７３ｃの先端部が停止爪７２となる。基端部７３ａの支持部５２ａの頂部に対応する被支持部７３ｄは凹円弧状断面であり、停止爪板７３は被支持部７３ｄを中心に上下に若干揺動可能である。停止爪板７３は、板ばね７５の付勢により、通常、図１１に示す初期位置にある。この初期位置において、下方アーム７３ｃは上翼板５２の上面における支持部５２ａの基端から後方へと下方に傾斜する傾斜部５２ｂに突き当たって、それ以上の下方への揺動が制限され、また、停止爪７２は爪孔５２ｃから下方のエレメント案内路５８へと突出し、図示しないエレメントに当接して、スライダー胴体５１の移動を阻止することができる。
【００２７】
引手保持体７４は、上方にわずかに凸となるように湾曲しつつ前後方向に延びる背板７４ａと、背板７４ａの左右端辺から下方に延びる左右側板７４ｂとを含む。背板７４ａ及び左右側板７４ｂのほぼ前半部は上翼板５２の上面に連結され、他方、背板７４ａ及び左右側板７４ｂのほぼ後半部は、上翼板５２の上面に対し間隔が開けられる。引手保持体７４の背板７４ａの後端部は、小間隙ｓを持って初期位置の開閉部材７１の後端部に近接する。この小間隙ｓは、後述する引手８０の軸部８１の径よりも小さい。引手保持体７４の左右側板７４ｂは、下方に凸となる後端部の第１凸部７４ｃと、第１凸部７４ｃよりも前方で下方に凸となる第２凸部７４ｄと、第１及び第２凸部７４ｃ、７４ｄ間で上方に凹となる第１凹部７４ｅと、第２凸部７４ｄの前方に隣り合う第２凹部７４ｆとを有する。第１及び第２凸部７４ｃ、７４ｄは、初期位置の開閉部材７１の第１及び第２山部７１ａ、７１ｂに対し、引手８０の軸部８１の径よりも小さい小間隙を持ってそれぞれ近接する。引手８０は、ロゴ等が表裏面に刻印等可能な引手本体８２（図１１参照）と、引手本体８２から延びる矩形環状部８１ａとを含む。矩形環状部８１ａは、以下に述べるように引手保持体７４等に保持させる軸部８１を有する。
【００２８】
次に、図１２〜１５を参照しつつ引手８０を引手保持体７４等に連結する工程を説明する。まず、引手８０の軸部８１を、開閉部材７１の後端部７１Ａと引手保持体７４の後端部との間の小間隙ｓに強制的に押し込む。これにより、開閉部材７２がコイルばねの付勢に抗して前方にずれる（図１２）。次いで、軸部８１を、引手保持体７４の左右側板７４ｂの第１凹部７４ｅへと上方に移すことにより、開閉部材７１がコイルばねの付勢により初期位置に復帰する（図１３）。この際、軸部８１は、開閉部材７１の谷部７１ｃと引手保持体７４の第１凹部７４ｅとの間の比較的大きい間隙内にある。次いで、軸部８１で引手保持体７４の開閉部材７１の第２山部７１ｂを前方に押すことにより、図１４に示すように、軸部８１が引手保持部材７４の第２凹部７４ｆに対応する前後方向位置に到達して、停止爪体７３の上下アーム７３ｂ、７３ｃ間に入り込む。この時、軸部８１が上方アーム７３ｂを上方に若干持ち上げ、これにより板ばね７５が上方にわずかに凸となるように湾曲する（図１４）。軸部８１が開閉部材７１の第２山部７１ｂを乗り越えると、図１５に示すように、開閉部材７１及び板ばね７５がそれぞれ初期位置に復帰して引手８０の取り付けが完了する。この取り付け完了位置の軸部８１で開閉部材７１を移動させることは困難なため、引手８０単独では引手８０を取り外すことはできない。しかし、別個の棒状部材等を用いて、小間隙ｓから開閉部材７１を前方に押すことにより、上述した工程を逆に辿って軸部８１を引手保持体７４から外すことができる。
【００２９】
また、図１５の状態において、停止爪７２が爪孔５２ｃから下方のエレメント案内路５８へと突出してスライダー５０の移動を阻止するが、使用者が引手８０を引くと、図示はしないが、軸部８１により停止爪板７４が板ばね７５の付勢に抗して上方に揺動し、これにより停止爪７２がエレメント案内路５８から引っ込み、スライダー５０が移動可能となる。スライダー５０は、下翼板６０の上面６１に隆起部６２を有し、隆起部６２は、案内柱５３側の平坦で水平な第１面６３と、第１面６３よりも若干低い、後口５７側の平坦で水平な第２面６４と、第１面６３と第２面６４とを連結する傾斜面６５とを含む。第１面６３は、後口５７側へと少なくとも図５の点Ｐに対応する点まで延びる。停止爪７４は、爪孔５２ｃからエレメント案内路５８へ突出した時、第１上面６３に対向するように配置される。
【符号の説明】
【００３０】
１  スライドファスナー
１０（１０ａ、１０ｂ）  ファスナーテープ
１１（１１ａ、１１ｂ）  コイル状ファスナーエレメント
２０、５０  スライダー
２１、５１  スライダー胴体
２２、５２  上翼板
２３、５３  案内柱
２５  （上翼板の）隆起部
２５ａ  （隆起部の）下面
２６、５６  前口
２７、５７  後口
２８、５８  エレメント案内路
３０、６０  下翼板
３２、３２ａ、６２  （下翼板の）隆起部
３３、３３ａ、６３  第１上面
３４、３４ａ、６４  第２上面
３５、６５  傾斜面
４０、７０  ストッパー機構
４２、７２  停止爪
４３、５２ｃ  爪孔
８０  引手
８２  （引手の）軸部
【図１】
2012033024.tif 000003
【図２】
2012033024.tif 000004
【図３】
2012033024.tif 000005
【図４】
2012033024.tif 000006
【図５】
2012033024.tif 000007
【図６】
2012033024.tif 000008
【図７】
2012033024.tif 000009
【図８】
2012033024.tif 000010
【図９】
2012033024.tif 000011
【図１０】
2012033024.tif 000012
【図１１】
2012033024.tif 000013
【図１２】
2012033024.tif 000014
【図１３】
2012033024.tif 000015
【図１４】
2012033024.tif 000016
【図１５】
2012033024.tif 000017
【国際調査報告】
2012033024.tif 000018
2012033024.tif 000019
2012033024.tif 000020
2012033024.tif 000021